(57)【要約】【課題】不要高調波の発生を効果的に抑制して高出力化、高効率化が図れる広帯域増幅モジュールを得ること。【解決手段】送信周波数がオクターブ帯域の周波数ｆ０〜２ｆ０では、バランス型増幅器３の増幅信号送出ポートがポートＰ３となるように、スイッチ２，６を設定する。増幅された送信信号１５は周波数ｆ０〜２ｆ０を通過帯域とするフィルタ４にて高調波が抑制されサーキュレータ５を通って入出力端子９へ送出される。送信周波数がオクターブ帯域以上の周波数２ｆ０〜ｆｈでは、バランス型増幅器３の増幅信号送出ポートがポートＰ４となるように、スイッチ２，６を設定する。増幅された送信信号１５は周波数２ｆ０〜ｆｈを通過帯域とするフィルタ７にて高調波が抑制されサーキュレータ８，５を通って入出力端子９へ送出される。【選択図】        図１
2009253518.tif 000002
【特許請求の範囲】
【請求項１】
バランス型増幅器に入力される信号の最小周波数がｆ０で、最大周波数ｆｈが２ｆ０以上４ｆ０以下である場合に、
共通ポートと前記共通ポートに切り替えて接続される２分岐ポートとを有し、前記共通ポートが前記バランス型増幅器への入力信号が供給されるモジュールの入力端子に接続され、前記２分岐ポートが前記バランス型増幅器の２入力ポートにそれぞれ接続される吸収型ＳＰＤＴスイッチと、
前記バランス型増幅器の一方の出力ポートに直接一端が接続されるフィルタであって通過帯域がｆ０〜２ｆ０で、抑圧帯域が２ｆ０以上である第１のフィルタと、
前記バランス型増幅器の他方の出力ポートに一方のポートが接続される吸収型ＳＰＳＴスイッチと、
前記吸収型ＳＰＳＴスイッチの他方のポートに一端が接続されるフィルタであって通過帯域が２ｆ０〜ｆｈで、抑圧帯域が４ｆ０以上である第２のフィルタと、を備え、
前記バランス型増幅器に入力される信号の周波数が、周波数ｆ０〜２ｆ０である場合には、前記吸収型ＳＰＤＴスイッチは、前記バランス型増幅器の一方の入力ポートが接続される分岐ポートを終端し、他方の入力ポートが接続される分岐ポートを前記共通ポートに接続するように設定されるとともに、前記吸収型ＳＰＳＴスイッチは、開路状態になり、両ポートをそれぞれ終端するように設定され、
前記バランス型増幅器に入力される信号の周波数が、周波数２ｆ０〜ｆｈである場合には、前記吸収型ＳＰＤＴスイッチは、前記バランス型増幅器の一方の入力ポートが接続される分岐ポートを前記共通ポートに接続し、他方の入力ポートが接続される分岐ポートを終端するように設定されるとともに、前記吸収型ＳＰＳＴスイッチは、両ポート間を導通状態にするように設定される、
ことを特徴とする広帯域増幅モジュール。
【請求項２】
第１のポートが前記第１のフィルタの他端に接続され、第２のポートがモジュールの送信出力と受信入力の共用に用いる入出力端子に接続される第１のサーキュレータと、
第１のポートが前記第２のフィルタの他端に接続され、第２のポートが前記第１のサーキュレータの第３のポートに接続される第２のサーキュレータと、
入力端が前記第２のサーキュレータの第３のポートにリミッタを介して接続され、出力端がモジュールの受信出力ポートに接続される低雑音増幅器と、
を備えていることを特徴とする請求項１に記載の広帯域増幅モジュール。
【請求項３】
一方の切替端が前記第１のフィルタの他端に接続され、他方の切替端が前記第２のフィルタの他端に接続されるＳＰＤＴスイッチと、
第１のポートが前記ＳＰＤＴスイッチの切替制御端に接続され、第２のポートがモジュールの送信出力と受信入力の共用に用いる入出力端子に接続されるサーキュレータと、
入力ポートが前記サーキュレータの第３のポートにリミッタまたはスイッチを介して接続され、出力ポートがモジュールの受信出力ポートに接続される低雑音増幅器と、
を備えていることを特徴とする請求項１に記載の広帯域増幅モジュール。
【請求項４】
第１のポートが前記第１のフィルタの他端に接続され、第２のポートがモジュールの送信出力端子に接続され、第３のポートが前記第２のフィルタの他端に接続されるサーキュレータ、
を備えていることを特徴とする請求項１に記載の広帯域増幅モジュール。
【発明の詳細な説明】
【技術分野】
【０００１】
この発明は、バランス型増幅器を用いた広帯域増幅モジュールに関するものである。
【背景技術】
【０００２】
バランス型増幅器は、並列に配置した２個の単位増幅器の入力段と出力段とに、それぞれ９０°位相差結合器を配置した構成である。一般に、２つの入力ポートは、一方が信号入力ポートとなり、他方が終端抵抗器を介して接地される。また、２つの出力ポートは、一方が信号出力ポートとなり、他方が終端抵抗器を介して接地される。つまり、従来のバランス型増幅器は、２個の単位増幅器の出力を合成出力する単一の増幅器として用いられる。
【０００３】
ところで、オクターブ以上（ｆ０〜ｆｈ：ｆｈ＞２ｆ０）の広帯域増幅器では、ｆ０〜ｆｈ／２の周波数帯域での動作時に２倍高調波成分が増幅器の帯域内に入るために、フィルタでその２倍高調波成分を抑圧できず、そのまま出力されてしまうという問題がある。
【０００４】
この不要な高調波成分の抑圧に関し、例えば特許文献１では、発振器での例であるが、帯域の異なる２つのフィルタを動作周波数に応じてスイッチによって選択し不要な高調波成分を抑圧する構成例が示めされている。
【０００５】
【特許文献１】特開２００５−１６７５７２号公報
【発明の開示】
【発明が解決しようとする課題】
【０００６】
そこで、広帯域増幅器において上記の問題を解決するために、増幅器の出力側に、並列に帯域の異なる２つのフィルタを設け、その２つのフィルタの入力側と出力側とにそれぞれスイッチを設け、動作周波数に応じてフィルタを選択して２倍高調波成分を抑圧する構成が考えられる。
【０００７】
しかし、この構成では、２個のスイッチが増幅器の出力側に入るため、出力効率が低下するという問題がある。また、２つのフィルタの出力側においてフィルタ選択を行うスイッチの非線形性によって新たな高調波が発生するという問題もある。
【０００８】
この発明は、上記に鑑みてなされたものであり、不要高調波の発生を効果的に抑制して高出力化、高効率化が図れる広帯域増幅モジュールを得ることを目的とする。
【課題を解決するための手段】
【０００９】
上述した目的を達成するために、この発明にかかる広帯域増幅モジュールは、バランス型増幅器に入力される信号の最小周波数がｆ０で、最大周波数ｆｈが２ｆ０以上４ｆ０以下である場合に、共通ポートと前記共通ポートに切り替えて接続される２分岐ポートとを有し、前記共通ポートが前記バランス型増幅器への入力信号が供給されるモジュールの入力端子に接続され、前記２分岐ポートが前記バランス型増幅器の２入力ポートにそれぞれ接続される吸収型ＳＰＤＴスイッチと、前記バランス型増幅器の一方の出力ポートに直接一端が接続されるフィルタであって通過帯域がｆ０〜２ｆ０で、抑圧帯域が２ｆ０以上である第１のフィルタと、前記バランス型増幅器の他方の出力ポートに一方のポートが接続される吸収型ＳＰＳＴスイッチと、前記吸収型ＳＰＳＴスイッチの他方のポートに一端が接続されるフィルタであって通過帯域が２ｆ０〜ｆｈで、抑圧帯域が４ｆ０以上である第２のフィルタとを備え、前記バランス型増幅器に入力される信号の周波数が、周波数ｆ０〜２ｆ０である場合には、前記吸収型ＳＰＤＴスイッチは、前記バランス型増幅器の一方の入力ポートが接続される分岐ポートを終端し、他方の入力ポートが接続される分岐ポートを前記共通ポートに接続するように設定されるとともに、前記吸収型ＳＰＳＴスイッチは、開路状態になり、両ポートをそれぞれ終端するように設定され、前記バランス型増幅器に入力される信号の周波数が、周波数２ｆ０〜ｆｈである場合には、前記吸収型ＳＰＤＴスイッチは、前記バランス型増幅器の一方の入力ポートが接続される分岐ポートを前記共通ポートに接続し、他方の入力ポートが接続される分岐ポートを終端するように設定されるとともに、前記吸収型ＳＰＳＴスイッチは、両ポート間を導通状態にするように設定されることを特徴とする。
【発明の効果】
【００１０】
この発明によれば、不要高調波の発生を効果的に抑制して高出力化、高効率化が図れる広帯域増幅モジュールが得られるという効果を奏する。
【発明を実施するための最良の形態】
【００１１】
この発明では、バランス型増幅器が２個の増幅器を有し、２個の入出力ポートを有する点に直目して構成してある。以下に図面を参照して、この発明にかかる広帯域増幅モジュールの好適な実施の形態を詳細に説明する。
【００１２】
実施の形態１．
図１は、この発明の実施の形態１による広帯域増幅モジュールの構成及び送信動作（その１）と受信動作を説明するブロック図である。図２は、図１に示す広帯域増幅モジュールの送信動作（その２）を説明するブロック図である。この実施の形態１では、受信機能を付加した広帯域増幅モジュール、つまり、広帯域送受信増幅モジュールの一例（その１）が示されている。
【００１３】
（この実施の形態１による広帯域送受信増幅モジュールの構成）
図１において、符号１は、当該モジュールの送信入力端子である。送信入力端子１に外部から入力される送信信号の周波数は、最小周波数がｆ０で、最大周波数ｆｈが２ｆ０以上４ｆ０以下である。
【００１４】
符号２は、上記した周波数ｆ０〜ｆｈを動作周波数とする吸収型ＳＰＤＴスイッチである。この吸収型ＳＰＤＴスイッチ２は、共通ポートが送信入力端子１に接続され、前記共通ポートに切り替えて接続される２つの分岐ポートがバランス型増幅器３の２つの入力ポートＰ１，Ｐ２にそれぞれ接続されている。なお、吸収型ＳＰＤＴスイッチ２の各分岐ポートの開路（オフ）側端は、それぞれ５０Ωの終端抵抗器２ａ，２ｂを介して信号グランドに接地されている。
【００１５】
バランス型増幅器３は、並列に配置した単位広帯域送信増幅器３ａ，３ｂと、単位広帯域送信増幅器３ａ，３ｂの入力側に配置される９０°位相差結合器３ｃと、単位広帯域送信増幅器３ａ，３ｂの出力側に配置される９０°位相差結合器３ｄとで構成される。バランス型増幅器３の２つの出力ポートＰ３，Ｐ４のうち、出力ポートＰ３はフィルタ（第１のフィルタ）４の一端に接続され、出力ポートＰ４は吸収型ＳＰＳＴスイッチ６の一方のポートに接続されている。
【００１６】
フィルタ４は、通過帯域がｆ０〜２ｆ０であり、抑圧帯域が２ｆ０以上である帯域特性を有している。フィルタ４の他端は、サーキュレータ５の第１のポート＃１に接続されている。サーキュレータ５の第２のポート＃２は、当該モジュールの送信出力と受信入力とで共用する入出力端子９に接続され、第３のポート＃３は、サーキュレータ８の第２のポート＃２に接続されている。サーキュレータ５の伝達特性Ｃ１は、第１のポート＃１→第２のポート＃２→第３のポート＃３の順になっている。
【００１７】
また、吸収型ＳＰＳＴスイッチ６の他方のポートは、フィルタ（第２のフィルタ）７の一端に接続されている。なお、吸収型ＳＰＳＴスイッチ６の両ポートの各開路（オフ）側端は、それぞれ５０Ωの終端抵抗器６ａ，６ｂを介して信号グランドに接地されている。
【００１８】
フィルタ７は、通過帯域が２ｆ０〜ｆｈであり、抑圧帯域が４ｆ０以上である帯域特性を有している。フィルタ７の他端は、サーキュレータ８の第１のポート＃１に接続されている。サーキュレータ８の第３のポート＃３は、受信系保護用のリミッタ１０を介して低雑音増幅器１１の入力ポートに接続され、低雑音増幅器１１の出力ポートは、当該モジュールの受信出力端子１２に接続されている。サーキュレータ８の伝達特性Ｃ２は、第１のポート＃１→第２のポート＃２→第３のポート＃３の順になっている。
【００１９】
次に、図１と図２を参照して、以上のように構成される広帯域送受信増幅モジュールの動作について説明する。
【００２０】
（オクターブ帯域の周波数ｆ０〜２ｆ０での送信動作）
周波数ｆ０〜２ｆ０での送信動作時では、図１に示すように、吸収型ＳＰＤＴスイッチ２は、バランス型増幅器３の入力ポートＰ１側の分岐ポートを共通ポートから切り離して開路し、入力ポートＰ２側の分岐ポートを共通ポートに接続して閉路する構成に設定される。また、吸収型ＳＰＳＴスイッチ６は、両ポートを共に開路して非導通状態にする構成に設定される。
【００２１】
これによって、バランス型増幅器３は、入力ポートＰ１が終端抵抗器２ａによって終端処理され、出力ポートＰ４が終端抵抗器６ａによって終端処理されるので、入力ポートＰ２に入力された信号についての増幅信号の送出ポートが出力ポートＰ３となる。
【００２２】
つまり、送信入力端子１から入力された周波数ｆ０〜２ｆ０の送信信号は、吸収型ＳＰＤＴスイッチ２からバランス型増幅器３の入力ポートＰ２に入力され、９０°位相差結合器３ｃを通って単位広帯域送信増幅器３ａ，３ｂにて増幅された後、９０°位相差結合器３ｄにて合成され、出力ポートＰ３からフィルタ４に入力される。
【００２３】
フィルタ４は、通過帯域がｆ０〜２ｆ０であり、抑圧帯域が２ｆ０以上であるので、出力ポートＰ３を出た送信信号１５は、フィルタ４にて高調波が抑圧された後、サーキュレータ５の第１のポート＃１→第２のポート＃２を通って入出力端子９に出力される。
【００２４】
そして、入出力端子９で反射が起きると、その反射した送信信号は、サーキュレータ５の第２のポート＃２→第３のポート＃３を通ってサーキュレータ８の第２のポート＃２に入力し、サーキュレータ８の第３のポート＃３からリミッタ１０に入力するが、リミッタ１０はその入力する送信信号を反射して受信系を保護する。リミッタ１０にて反射された送信信号は、サーキュレータ８の第３のポート＃３→第１のポート＃１、フィルタ７を通って吸収型ＳＰＳＴスイッチ６に入り、終端抵抗器６ｂにて終端される。
【００２５】
このように、本構成では、オクターブ帯域の周波数ｆ０〜２ｆ０での送信動作時の高性能化が図れる。加えて、バランス型増幅器３の出力ポートＰ３側に配置する素子をフィルタ４と送受切り替え用のサーキュレータ５のみとすることができ、通過損失が少なく高効率化が可能となる。
【００２６】
（オクターブ帯域以上の周波数２ｆ０〜ｆｈでの送信動作）
周波数２ｆ０〜ｆｈでの送信動作時では、図２に示すように、図１に示した構成から、吸収型ＳＰＤＴスイッチ２は、バランス型増幅器３の入力ポートＰ１側の分岐ポートを共通ポートに接続して閉路し、入力ポートＰ２側の分岐ポートを共通ポートから切り離して開路する構成に切り替えて設定する。また、吸収型ＳＰＳＴスイッチ６は、入力ポートと出力ポートの間を導通状態に閉路する構成に切り替えて設定する。
【００２７】
これによって、バランス型増幅器３は、入力ポートＰ２が終端抵抗器２ｂによって終端処理されので、入力ポートＰ１に入力された信号についての増幅信号の送出ポートが出力ポートＰ４となる。
【００２８】
つまり、送信入力端子１から入力された周波数２ｆ０〜ｆｈの送信信号は、吸収型ＳＰＤＴスイッチ２からバランス型増幅器３は、入力ポートＰ１に入り、９０°位相差結合器３ｃを通って単位広帯域送信増幅器３ａ，３ｂにて増幅された後、９０°位相差結合器３ｄにて合成され、出力ポートＰ４から導通状態の吸収型ＳＰＳＴスイッチ６を通ってフィルタ７に入力される。
【００２９】
フィルタ７は、通過帯域が２ｆ０〜ｆｈであり、抑圧帯域が４ｆ０以上であるので、出力ポートＰ４を出た送信信号１７は、導通状態の吸収型ＳＰＳＴスイッチ６を通ってフィルタ７に入り、フィルタ７にて高調波が抑圧された後、サーキュレータ８の第１のポート＃１→第２のポート＃２→サーキュレータ５の第３のポート＃３→第１のポート＃１を通ってフィルタ４に入る。しかし、フィルタ４は、抑圧帯域が２ｆ０以上であるので、送信信号１７は、フィルタ４にて反射され、サーキュレータ５の第１のポート＃１→第２のポート＃２を通って入出力端子９に出力される。
【００３０】
なお、出力ポートＰ３は、５０Ωによって終端されていないため、出力ポートＰ３からフィルタ４への出力があり、そのためフィルタ４にて出力ポートＰ３に向かう反射波が発生するが、単位広帯域送信増幅器３ａ，３ｂ及び９０°位相差結合器３ｃ、３ｄの振幅位相特性のアンバランス量が小さければ、不平衡ポートである出力ポートＰ３への出力電力は小さくなるので、この反射電力による９０°位相差結合器３ｄでの合成損失は軽微に抑えられる。
【００３１】
（受信動作）
受信動作時、図１に示すように、入出力端子９から入力した受信信号１６は、サーキュレータ５の第２のポート＃２→第３のポート＃３からサーキュレータ８の第２のポート＃２→第３のポート＃３を通ってリミッタ１０に入力され、低雑音増幅器１１にて増幅されて受信出力端子１２へ送出される。
【００３２】
ここで、入出力端子９から大電力が入力された場合は、リミッタ１０にて反射されるので、低雑音増幅器１１以降の受信系が保護される。リミッタ１０での反射波は、サーキュレータ８の第３のポート＃３→第１のポート＃１、フィルタ７を通って吸収型ＳＰＳＴスイッチ６に入り、終端抵抗器６ｂにて終端される。
【００３３】
このように、実施の形態１によれば、バランス型増幅器の各出力ポートに対して通過帯域がオクターブの帯域であるフィルタと、それ以上の帯域であるフィルタとを設けるとともに、バランス型増幅器の入力側に吸収型ＳＰＤＴスイッチを設け、オクターブの帯域とそれ以上の帯域との動作周波数に応じて吸収型ＳＰＤＴスイッチを切り替えることで２経路ある出力ポート（通過フィルタ）の１つを選択できるようにし、その分岐した経路を送受切り替え機能と共用したサーキュレータによって単一経路化させる構成とした。
【００３４】
その結果、オクターブの帯域とそれ以上の帯域との全周波数帯域で高調波の抑圧が行えるので、外部へのスプリアス輻射を抑えることができる。また、オクターブ帯域の周波数ｆ０〜２ｆ０での送信動作時では、バランス型増幅器の増幅信号出力ポート側にスイッチ等の切り替え回路を付加することなく、オクターブ帯域の周波数ｆ０〜２ｆ０を通過帯域とするフィルタを選択することができるので、高出力化、高効率化が図れる。そして、送受分離回路のサーキュレータと共用できるので、通過損失は極めて少なくなる。
【００３５】
なお、フィルタ４，７は、バンドパス、ローパス、バンドリジェクション等形式によらず、増幅帯域を通過し、増幅器から発生するスプリアスを抑圧できる抑圧帯域を有していればよい。
【００３６】
実施の形態２．
図３は、この発明の実施の形態２による広帯域増幅モジュールの構成を示すブロック図である。なお、図３では、図１（実施の形態１）に示した構成要素と同一ないしは同等である構成要素には同一の符号が付されている。ここでは、この実施の形態２に関わる部分を中心に説明する。この実施の形態２では、受信機能を付加した広帯域増幅モジュール、つまり、広帯域送受信増幅モジュールの一例（その２）が示されている。
【００３７】
図３に示すように、この実施の形態２による広帯域送受信増幅モジュールは、図１（実施の形態１）に示した構成において、サーキュレータ５，８に代えてＳＰＤＴスイッチ２０が設けられ、ＳＰＤＴスイッチ２０と入出力端子９との間にサーキュレータ２１が設けられている。そして、サーキュレータ２１と受信出力端子１２との間にリミッタ１０に代えたスイッチ２２と低雑音増幅器１１とが配置されている。
【００３８】
ＳＰＤＴスイッチ２０の一方の切替端は、フィルタ４の他端に接続され、他方の切替端は、フィルタ７の他端に接続され、切替制御端は、サーキュレータ２１の第１のポート＃１に接続されている。
【００３９】
サーキュレータ２１の第２のポート＃２は、入出力端子９に接続され、第３のポート＃３は、スイッチ２２の切替制御端に接続されている。サーキュレータ２１の伝達特性は、第１のポート＃１→第２のポート＃２→第３のポート＃３の順である。スイッチ２２の一方の切替端は、低雑音増幅器１１の入力端に接続され、他方の切替端は５０Ωの終端抵抗器２２ａを介して回路グラウンドに接地されている。
【００４０】
（実施の形態２に関わる部分の動作）
ＳＰＤＴスイッチ２０は、送信周波数がｆ０〜２ｆ０である場合は、フィルタ４の他端と接続される一方の切替端を切替制御端に接続し、送信周波数が２ｆ０〜ｆｈである場合は、フィルタ７の他端と接続される他方の切替端を切替制御端に接続するように、切替設定される。
【００４１】
また、スイッチ２２は、受信動作時は、サーキュレータ２１の第３のポート＃３に接続される切替制御端と低雑音増幅器１１の入力端に接続される一方の切替端とを接続し、送信動作時は、サーキュレータ２１の第３のポート＃３に接続される切替制御端と終端抵抗器２２ａが接続される他方の切替端とを接続するように、切替設定される。
【００４２】
したがって、送信動作時は、送信周波数がｆ０〜２ｆ０である場合の増幅された送信信号は、ＳＰＤＴスイッチ２０の一方の切替端→切替制御端からサーキュレータ２１の第１のポート＃１に入力され、第２のポート＃２から入出力端子９へ送出される。送信周波数が２ｆ０〜ｆｈである場合の増幅された送信信号は、ＳＰＤＴスイッチ２０の他方の切替端→切替制御端からサーキュレータ２１の第１のポート＃１に入力され、第２のポート＃２から入出力端子９へ送出される。
【００４３】
そして、送信動作時に、入出力端子９にて反射が起こると、その反射波は、サーキュレータ２１の第３のポート＃３からスイッチ２２の切替制御端→他方の切替端を通って終端抵抗器２２ａにて終端されるので低雑音増幅器１１以降の受信系が保護される。
【００４４】
また、受信動作時は、入出力端子９からサーキュレータ２１の第２のポート＃２に入力される受信信号は、サーキュレータ２１の第３のポート＃３から導通状態にあるスイッチ２２を通って低雑音増幅器１１に入力し、増幅されて受信出力端子１２へ送出される。
【００４５】
この実施の形態２によれば、実施の形態１と同様に、オクターブの帯域とそれ以上の帯域との全周波数帯域で高調波の抑圧が行えるので、外部へのスプリアス輻射を抑えることができる。
【００４６】
加えて、フィルタ選択用の出力側スイッチがＳＰＤＴスイッチ２０の１個になるため、高出力・高効率化が図られる。また、サーキュレータを削減できるため小型化でき、受信時の通過損失（ＮＦ）を改善できる。
【００４７】
なお、受信系保護用にスイッチ２２を用いたが、実施の形態の形態１と同様にリミッタ１０としてもよい。この場合には、サーキュレータ２１の第３のポート＃３とスイッチ２２に代えたリミッタ１０との間に、第３のポートが終端抵抗器で終端されたサーキュレータを、その第１のポートをサーキュレータ２１の第３のポート＃３に接続し、その第２のポートをスイッチ２２に代えたリミッタ１０に接続した形で挿入し、リミッタ１０からの反射波を当該挿入したサーキュレータの第３のポートから終端抵抗器に送出して終端させる構成とすればよい。
【００４８】
実施の形態３．
図４は、この発明の実施の形態３による広帯域送信増幅モジュールの構成を示すブロック図である。なお、図４では、図１（実施の形態１）に示した構成要素と同一ないしは同等である構成要素には同一の符号が付されている。ここでは、この実施の形態３に関わる部分を中心に説明する。この実施の形態３では、受信機能を有しない広帯域増幅モジュール、つまり、広帯域送信増幅モジュールの一例が示されている。
【００４９】
図４に示すように、この実施の形態３による広帯域送信増幅モジュールは、図１（実施の形態１）に示した構成において、サーキュレータ８、リミッタ１０、低雑音増幅器１１及び受信出力端子１２を削除した構成になっている。なお、入出力端子９は送信出力端子２５となっている。
【００５０】
（実施の形態３に関わる部分の動作）
送信周波数がｆ０〜２ｆ０である場合と２ｆ０〜ｆｈである場合での送信動作は、実施の形態１と同様に行われる。
【００５１】
この実施の形態３によれば、実施の形態１と同様に、オクターブの帯域とそれ以上の帯域との全周波数帯域で高調波の抑圧が行えるので、外部へのスプリアス輻射を抑えることができる。
【００５２】
そして、オクターブ帯域の周波数ｆ０〜２ｆ０での送信動作時では、バランス型増幅器の増幅信号出力ポート側にスイッチ等の切り替え回路を付加することなく、オクターブ帯域の周波数ｆ０〜２ｆ０を通過帯域とするフィルタを選択することができるので、高出力化、高効率化が図れる。
【００５３】
加えて、オクターブ帯域を超える送信周波数２ｆ０〜ｆｈでの信号パスに介在していたサーキュレータ８を無くした構成となるので、送信周波数２ｆ０〜ｆｈの信号出力時の高出力・高効率化が可能である。また、サーキュレータは１個となるので、小型化が可能である。
【産業上の利用可能性】
【００５４】
以上のように、この発明にかかる広帯域増幅モジュールは、不要高調波の発生を効果的に抑制して高出力化、高効率化が図れる広帯域増幅モジュールとして有用である。
【図面の簡単な説明】
【００５５】
【図１】この発明の実施の形態１による広帯域増幅モジュールの構成及び送信動作（その１）と受信動作を説明するブロック図である。
【図２】図１に示す広帯域送受信増幅モジュールでの送信動作（その２）を説明するブロック図である。
【図３】この発明の実施の形態２による広帯域増幅モジュールの構成を示すブロック図である。
【図４】この発明の実施の形態３による広帯域増幅モジュールの構成を示すブロック図である。
【符号の説明】
【００５６】
１  モジュールの送信入力端子
２  吸収型ＳＰＤＴスイッチ
２ａ，２ｂ  終端抵抗器（５０Ω）
３  バランス型増幅器
３ａ，３ｂ  単位広帯域送信増幅器
３ｃ，３ｄ  ９０°位相差結合器
４  フィルタ（第１のフィルタ）
５  サーキュレータ（第１のサーキュレータ）
６  吸収型ＳＰＳＴスイッチ
６ａ，６ｂ  終端抵抗器（５０Ω）
７  フィルタ（第２のフィルタ）
８  サーキュレータ（第２のサーキュレータ）
９  モジュールの送信出力と受信入力とで共用する入出力端子
１０  受信系保護用のリミッタ
１１  低雑音増幅器
１２  モジュールの受信出力端子
１５  送信信号（ｆ０〜２ｆ０）
１６  受信信号
１７  送信信号（２ｆ０〜ｆｈ）
２０  ＳＰＤＴスイッチ
２１  サーキュレータ
２２  受信系保護用のスイッチ
２２ａ  終端抵抗器（５０Ω）
２５  モジュールの送信出力端子
【図１】
2009253518.tif 000003
【図２】
2009253518.tif 000004
【図３】
2009253518.tif 000005
【図４】
2009253518.tif 000006